(57)【特許請求の範囲】
【請求項１】
複数のアプリケーションを有する装置において、
前記装置を機能別に複数の部に分割し、該分割された各部に発生した不具合を検出する不具合検出手段と、
前記複数のアプリケーションを利用するためのアプリケーションモードのそれぞれに対して、前記分割された各部を使用するか否かを記録した使用部記録手段と、
前記アプリケーションモードの何れか一つを選択させるためのモード選択手段と、
前記モード選択手段により選択された前記アプリケーションモードに対応する使用部を前記使用部記録手段から読み出し、該読み出された使用部の何れかに不具合が検出されたときは前記モード選択手段以外の入力受付を禁止させる入力制御手段と、
前記入力制御手段による前記モード選択手段以外の入力受付を禁止させた状態を解消する解消手段とを備えたことを特徴とする装置。
【請求項２】
前記入力制御手段は、前記使用部記録手段に記録されている使用部に不具合が検出された場合、検出された部に不具合が発生していることを表示するようにしたことを特徴とする請求項１記載の装置。
【請求項３】
前記解消手段が押し下げられたときに前記モード選択手段以外の入力受付を禁止させた状態を解消することを特徴とする請求項１または２記載の装置。
【請求項４】
前記解消手段でモード選択手段以外の入力受付の禁止が解消されたとき、表示されている不具合部の表示も表示させないようにしたことを特徴とする請求項２記載の装置。
【請求項５】
前記解消手段がモード選択手段以外の入力受付の禁止を解消してから一定時間放置されている場合は解消を取り消すようにしたことを特徴とする請求項１、２、３または４記載の装置。
【請求項６】
前記複数のアプリケーションとして、コピー、ファクシミリ、プリンタ及びスキャナを有することを特徴とする請求項１〜５何れか１項記載の装置。
【発明の詳細な説明】
【０００１】
【産業上の利用分野】
本発明はコピー、ファクシミリ、プリンタ及びスキャナ等の各種アプリケーションを有する装置に関する。
【０００２】
【従来の技術】
複写機は原稿をスキャンして「１」「０」のディジタル信号に変換し、変換された「１」「０」の信号に対応した光を感光ドラムに照射し、印刷用紙にトナーを定着させてコピーを行なう。
【０００３】
上述した装置としての多機能複写機は、複写機をコピー以外に、例えばファクシミリの送信においてはスキャナ部を、受信においてはプロッタ部を共用する他、文書処理装置やデータ処理装置等の印字出力にプロッタ部を、また文書処理装置やデータ処理装置等への図形データの作成にスキャナ部を共用して、効率的に使用している。
【０００４】
また、このような多機能複写機においては、複写機の１部に不具合が発生すると全ての動作を停止するようになっている。
【０００５】
【発明が解決しようとする課題】
前述したように、従来の多機能複写機においては複写機の１部に不具合が発生すると全ての動作が停止するようになっていた。
すなわち、例えば複写機のブロッタ部に不具合が発生してもファクシミリの送信は可能であるが動作を停止するようになっていた。
【０００６】
本発明は不具合部を使用しないアプリケーションモードに対しては動作するように改良した装置を提供することを目的とする。
【０００７】
【課題を解決するための手段】
前述した課題を解決するために本発明が採用した手段を説明する。
複数のアプリケーションを有する装置において、前記装置を機能別に複数の部に分割し、該分割された各部に発生した不具合を検出する不具合検出手段と、前記複数のアプリケーションを利用するためのアプリケーションモードのそれぞれに対して、前記分割された各部を使用するか否かを記録した使用部記録手段と、前記アプリケーションモードの何れか一つを選択させるためのモード選択手段と、前記モード選択手段により選択された前記アプリケーションモードに対応する使用部を前記使用部記録手段から読み出し、該読み出された使用部の何れかに不具合が検出されたときは前記モード選択手段以外の入力受付を禁止させる入力制御手段と、前記入力制御手段による前記モード選択手段以外の入力受付を禁止させた状態を解消する解消手段とを備える。
【０００８】
また、第２の発明においては、前記入力制御手段は、前記使用部記録手段に記録されている使用部に不具合が検出された場合、検出された部に不具合が発生していることを表示する。
また、第３の発明においては、前記解消手段が押し下げられたときに前記モード選択手段以外の入力受付を禁止させた状態を解消する。
【０００９】
また、第４の発明においては、前記解消手段でモード選択手段以外の入力受付の禁止が解消されたとき、表示されている不具合部の表示も表示させないようにした。
また、第５の発明においては、前記解消手段がモード選択手段以外の入力受付の禁止を解消してから一定時間放置されている場合は解消を取り消す。
また、第６の発明においては、複数のアプリケーションとして、コピー、ファクシミリ、プリンタ及びスキャナを有する。
【００１０】
【作用】
不具合検出手段は、装置を機能別に複数の部に分割し、該分割された各部に発生した不具合を検出する。
使用部記録手段には、複数のアプリケーションを利用するためのアプリケーションモードのそれぞれに対して、前記分割された各部を使用するか否かを記録した。
【００１１】
入力制御手段は、モード選択手段により選択されたアプリケーションモードに対応する使用部を使用部記録手段により読み出し、読み出された使用部に不具合が検出されたときはモード選択手段以外の入力受付を禁止させる。
また、入力制御手段は、使用部記録手段に記録されている使用部に不具合が検出された場合、検出された部に不具合が発生していることを表示する。
【００１２】
解消手段は、押し下げられたときにモード選択手段以外の入力受付を禁止させた状態を解消する。
【００１３】
また、解消手段は、モード選択手段以外の入力受付の禁止が解消されたとき、表示されている不具合部の表示も表示させないようにする。
さらに、解消手段は、解消手段がモード選択手段以外の入力受付の禁止を解消してから一定時間放置されている場合は解消を取消すようにする。
【００１４】
以上のように、選択したアプリケーションモードに対応する使用部に不具合が発生しているか否かを判定し、不具合が発生していると判定されたときは、モード選択手段以外の入力受付を禁止すると共に不具合部を表示させるようにしたので、どの部に不具合が発生しているかを知ることもでき、また不具合が発生している部を使用しないアプリケーションモードを起動させることができる。
【００１５】
また、モード選択手段以外の入力受付を禁止させた状態を解消できるようにしたので、不具合が発生した部を使用しない場合の動作を可能にすることができる。
また、モード選択手段以外の入力受付を禁止させる状態を解消してから一定時間放置された場合は解消を取消すようにしたので、その後の使用者に不具合が発生していることを知らせることができる。
【００１６】
【実施例】
本発明の一実施例を図を参照して説明する。
図１は本発明の実施例の構成図である。
図１において、１は複写機本体であり、１−１ａは原稿をスキャンして「１」「０」のディジタル信号に変換するスキャナ部、１−２ａはセットされた原稿をスキャナ部１−１ａでスキャンできるように送り出す原稿送り部、１−３ａはスキャナ部１−１ａで変換されたディジタル信号の「１」「０」に対応した光を感光ドラムに照射して印刷用紙にトナーを定着させるプロッタ部、１−４ａは印刷用紙を給紙する給紙部、１−５ａは印刷された用紙を排紙トレイ毎に分配するソータ部である。
【００１７】
なお実施例では複写機本体をスキャナ部、原稿送り部、プロッタ部、給紙部およびソータ部に分割したが、分割はこれ以外であっても良い。
１−１ｂはスキャナ部１−１ａの動作を制御すると共に不具合が発生したとき検知するスキャナ制御部である。
【００１８】
また、１−２ｂ，１−３ｂ，１−４ｂおよび１−５ｂはそれぞれ原稿送り部、プロッタ部，給紙部およびソータ部の動作を制御すると共に不具合が発生したとき検知する原稿送り制御部、プロッタ制御部、給紙制御部およびソータ制御部である。
【００１９】
また、２は入力表示部、３は使用部記録メモリ、４は入力制御部、５は画像メモリ、６はコピー制御部、７はＦＡＸ制御部、８はプリンタ制御部、９はスキャンアプリ制御部、１０は回線接続部、１１は変復渦部、１２および１３はインタフェース（Ｉ／Ｏ）、１４は処理を行なうプロセッサ（ＣＰＵ）である。
【００２０】
実施例では複写機を共用するアプリケーションとしては、従来例と同様にコピー、ＦＡＸ、プリンタおよびスキャナの４モードとしている。
使用部記録メモリ３には、図２に示すように、コピーモードが選択された場合にはスキャナ部、原稿送り部、プロッタ部、給紙部およびソータ部の全てを使用、ＦＡＸの送信モードが選択されたときはスキャナ部と原稿送り部が、ＦＡＸ受信およびプリンタモードの場合はプロッタ部と給紙部が、またスキャナモードの場合はスキャナ部と原稿送り部が使用されることを予め記録させておく。
【００２１】
入力表示部２は、図３に示されるように、コピー枚数およびユーザコード等を入力するテンキー２１、操作の状態やメッセージ等を表示する液晶表示画面２２、操作の機能や仕方を表示するモードに移行させるガイダンスキー２３、設定の登録や呼出しを行うプログラムキー２４、入力誤りの訂正や動作を中断させるクリアストップキー２５、タッチパネル２２の輝度を調整する輝度調整つまみ２６、モードクリア・予熱／タイマキー２７、割込動作の開始指令を入力する割込キー２８、コピー動作を開始させるスタートキー２９、コピーモード選択キー３０、ＦＡＸモード選択キー３１、プリンタモード選択キー３２、スキャナモード選択キー３３、通信中ランプ３４、代行受信ランプ３５、親展受信ランプ３６、ＦＡＸ専用表示画面３７で構成される。
【００２２】
また、液晶表示画面２２は、コピーモードが選択されると図４（Ａ）に一例を示すように、「コピーできます」、「おまちください」等のメッセージを表示するメッセージエリア２２−１、上段にセットした枚数、下段にコピーした枚数を表示するコピー枚数表示部２２−２、画像濃度を調整する濃度調整キー２２−３、コピー用紙の選択する用紙選択キー２２−４、転写紙サイズに合わせて自動的に拡大／縮小を行なわず用紙指定変倍キー２２−５、ソートキー２２−６、スタッタキー２２−７、ステップルキー２２−８、特殊原稿送りキー２２−９、変倍キー２２−１０、両面／ページ連写キー２２−１１、消去／移動キー２２−１２、表紙／合紙キー２２−１３が表示される。
【００２３】
なお２２−３〜２２−１３の各種キーはタッチパネル構成となっており、表示されている画面を指でタッチすることによって表示されている事項が入力されるようになっている。
また、ファクシミリモードが選択された場合は液晶表示画面２２は、図３（Ｃ）で示すような表示がなされ、パネルタッチで各種キーが構成されている。
【００２４】
つぎに、図５〜図７を参照して、実施例の動作を説明する。
実施例の動作を説明する前に、各部で不具合が発生した時の動作を図８を参照して説明する。なお図８で示す不具合発生の処理開始は、スキャナ制御部１−１ｂ、原稿送り制御部１−２ｂ、プロッタ制御部１−３ｂ、給紙制御部１−４ｂおよびソータ制御部１−５ｂの各部で不具合が検知された時開始される。
【００２５】
処理Ｓ７０では、不具合が検知された各部から不具合が発生したことを入力制御部４に送出する。
処理Ｓ７１では、入力制御部４は、処理Ｓ７０で転送された不具合発生部を図示しないメモリに記録し、処理Ｓ７２に移って、現在選択されているモードに対応する使用部記録メモリ３に記録されている使用部が不具合が発生した部と一致するか否かを判定し、判定がＮＯならば処理Ｓを終了し、ＹＥＳの場合は処理Ｓ７３に移る。
【００２６】
処理Ｓ７３では、入力制御部４は、複写機が動作中の場合は動作を停止させ、図３および図４で説明した入力表示部２のモード選択キー３０〜３３以外の入力キーよりの入力の受付を禁止し、処理Ｓ７４に移って、例えばコピーモードが選択されており給紙部１−４ａの用紙が無くなった場合は図４（Ｂ）に示すように不具合発生部を表示して処理を終了する。
【００２７】
つぎに、図５〜図７を参照して、実施例の動作を説明する。
処理Ｓ１１では、入力表示部２のコピーモード選択キー３０が押下されるとコピー制御部６が起動して処理Ｓ１２に移り、ＦＡＸモード選択キー３１が押下されるとＦＡＸ制御部７が起動して処理Ｓ２８に移り、プリンタモード選択キー３２が押下されるとプリンタ制御部８が起動して処理Ｓ４７に移り、またスキャナモード選択キー３３が押下されるとスキャナアプリ制御部９が起動して処理Ｓ５５に移る。
【００２８】
処理Ｓ１２では、コピー制御部６は、入力表示部２に指令して、液晶表示画面２２にコピーモードが選択されていることを表示させる。
処理Ｓ１３では、コピー制御部６は、入力制御部４に指令して、コピーが可能か否かを判定させる。入力制御部４は、図２で説明したように、使用部記録メモリ３のコピーモードに対応する記録が「１」である各部に不具合が発生しているか否かを判定し、不具合が発生していない時は処理Ｓ１４に、不具合が発生しているときは処理Ｓ１７に移る。
【００２９】
処理Ｓ１４では、図４（Ａ）に示すように、「コピーできます」の表示を行ない、各種キーより入力を行ってコピー条件を設定し、スタートキー２９を押下する。
処理Ｓ１５は、コピー制御部６は、原稿送り制御部１−２ｂに指令して、最初の原稿をスキャンできるようにし、スキャナ制御部１−１ｂに指令して送られた原稿をスキャンしてディジタル信号に変換し、プロッタ制御部１−３ｂに指令して変換されたディジタル値に対応する光を感光ドラムに照射させて、給紙制御部１−４ｂに指令してトレイより送られて来た印刷用紙に定着させ、定義された印刷用紙をソータ制御部１−５ｂに指令して指令された排紙トレイに排紙するコピー動作を開始する。
【００３０】
処理Ｓ１６では、コピーが終了したか否かを判定し、終了した時は処理Ｓ１１に移る。
また、処理Ｓ１３でコピー動作が不可能、すなわち、コピー動作で使用する部に不具合が発生していたときは処理Ｓ１７に移り、入力制御部４は、入力表示部２の３０〜３３で示したモード選択キー以外のキーからの入力の受付を禁止させる。すなわちキーより入力しても入力を受付けないようにし、処理Ｓ１８に移って、図４（Ｂ）に示すように、不具合部を表示させる。
【００３１】
処理Ｓ１９では、入力制御部４は、解消キーが押下されたか否かを判定し、押下されない場合は、処理Ｓ１１に移り、押下された場合は処理Ｓ２０に移る。
解消キーとしては、例えば入力表示部２のテンキー２１の数字「１」と「２」が同時に押下されたとき解消キーが押下されたと入力制御部４は判定する。
【００３２】
なお、解消キーを押下するか否かは操作者が判定して行うものであるが、例えばコピーモードで、不具合が原稿送り部１−２ａで発生していると表示されている場合は、原稿送り部１−２ａを使用せずに、１枚１枚操作者が原稿をセットしてコピーを行なわせる場合に解消キーを押下する。
【００３３】
解消キーが押下されたと判定されると処理Ｓ２０に移って、入力制御部４は全てのキーよりの入力を受付け、処理Ｓ２１に移って不具合部の表示を消去する。
処理Ｓ２２では、各種コピー条件が入力され、スターキーが押下される。
処理Ｓ２３では、入力制御部４は、不具合部が使用されているか否かを判定し、判定結果がＹＥＳの場合、例えば原稿送り部１−２ａに不具合が発生しているにもかかわらずコピーする原稿が原稿送り部１−２ａにセットされている場合は処理Ｓ２５に移る。
【００３４】
処理Ｓ２４では、コピー制御部６はコピー動作を開始させる。
処理Ｓ２５では、入力制御部４は、コピー動作が終了してから一定時間が経過したか否かを判定し、一定時間が経過した場合は処理Ｓ２６に移って、処理Ｓ１７と同様にモード選択キー以外の入力の受付を禁止し、処理Ｓ２７に移って不具合部の表示を行ない、処理Ｓ１１に移る。
【００３５】
つぎに、処理Ｓ１１でＦＡＸモードが選択された場合は処理Ｓ２８に移って、ＦＡＸ制御部７は、入力表示部２に指令して、ＦＡＸモードが選択されたことを液晶表示画面２２に表示する。
処理Ｓ２９では、ＦＡＸ制御部７は、親展キーが押下されたか否かを判定し、押下されない場合はＦＡＸ送信と判定して処理Ｓ３０に移り、押下された場合は親展受信されたＦＡＸの印字出力と判定して処理Ｓ３９に移る。
【００３６】
処理Ｓ３０では、入力制御部４は使用部記録メモリ３に記録されているＦＡＸ送信で使用される部、すなわちスキャナ部および原稿送り部に不具合が発生しているか否かで判定し、不具合が発生している場合は処理Ｓ３７に、発生していない場合は処理Ｓ３１に移る。
【００３７】
処理Ｓ３１では、操作者は入力表示部２より相手番号等ＦＡＸ送信条件を入力し、処理Ｓ３２に移ってスタートキー２９を押下する。
処理Ｓ３３では、ＦＡＸ制御部７は、原稿送り制御部１−２ｂおよびスキャナ制御部１−１ｂに指令して送信するＦＡＸ原稿のスキャンを開始させてディジタル信号に変換し、変換されたディジタル信号は処理Ｓ３４に移って画像メモリ５に記録する。
【００３８】
処理Ｓ３５では、ＦＡＸ制御部７は回線接続部１０に指令して処理Ｓ３１で入力された相手番号に対する通信回線の設定を指令し、通信回線が設定されると処理Ｓ３６に移って、画像メモリ５に記録されているデータを帯域圧縮して相手ＦＡＸ端末に転送する。
【００３９】
また、処理Ｓ３０で、不具合が発生していてＦＡＸ送信が不可能と判定された場合は処理Ｓ３７に移ってモード選択キー以外の入力の受付を禁止し、処理Ｓ３８に移って不具合発生部を表示する。
また、処理Ｓ２９で親展キーが押下された場合は処理Ｓ３９に移ってＦＡＸ受信が可能か否かを使用部記録メモリ３の記録と不具合発生部とを比較して判定し、可能な場合は処理Ｓ４０に、不可能な場合は処理Ｓ４５に移る。
【００４０】
処理Ｓ４０では、操作者は入力表示部２のテンキー２１より親展ＩＤを入力し、処理Ｓ４１に移ってスタートキー２９を押下する。
処理Ｓ４２では、ＦＡＸ制御部７は、処理Ｓ４０で入力した親展ＩＤが一致した場合は画像メモリ５に記録されている親展ＦＡＸデータを読出し、処理Ｓ４３に移って帯域圧縮されて記録されているＦＡＸデータを伸張し、プロッタ制御部１−３ｂに指令して感光ドラムに展開させる。
【００４１】
処理Ｓ４４では、感光ドラムへのＦＡＸデータの展開が終了すると、トナーを印刷用に定着させ印字出力させる。
また処理Ｓ３９でＦＡＸ受信不可と判定されたときは処理Ｓ４５に移ってモード選択キー以外の入力の受付を禁止し、処理Ｓ４６に移って不具合部を表示する。
【００４２】
また処理Ｓ１１でプリンタモードが選択された場合は処理Ｓ４７に移ってプリンタモードが選択されたことを表示し、処理Ｓ４８に移って印字出力が可能か否かの判定が行なわれ、判定がＹＥＳの場合は処理Ｓ４９に、ＮＯの場合は処理Ｓ５３に移る。
【００４３】
処理Ｓ４９で操作者がスタートキーを押下すると、Ｉ／Ｏ１２を介して接続されている文書処理装置に対してプリントデータの転送が指令され、転送されたデータは処理Ｓ５０に移って画像メモリ５に記録される。
処理Ｓ５１では、記録されたデータを読出してプロッタ部１−３ａに転送して感光ドラムに展開し、処理Ｓ５２に移って印刷用紙に印字して出力する。
【００４４】
また処理Ｓ４８で印字出力不可と判定されたときは処理Ｓ５３に移ってモード選択キー以外の入力の受付を禁止し、処理Ｓ５４に移って不具合部を表示する。また処理Ｓ１１でスキャンモードが選択された場合は処理Ｓ５５に移ってスキャンモードが選択されたことを表示し、処理Ｓ５６に移ってスキャン可能か否かの判定が行なわれ、判定がＹＥＳの場合は処理Ｓ５７に、ＮＯの場合は処理Ｓ６１に移る。
【００４５】
処理Ｓ５７で操作者がスタートキーを押下すると処理Ｓ５８に移って原稿のスキャンを開始し、「１」「０」のディジタル信号に変換される。変換されたディジタル信号は処理Ｓ５９に移って画像メモリ５に記録される。
処理Ｓ６０では画像メモリ５に記録されたスキャンデータを読出して、Ｉ／Ｏ１３を介して接続されている文書処理装置等にデータを転送する。
【００４６】
また処理Ｓ５６でスキャン不可と判定されたときは処理Ｓ６１に移ってモード選択キー以外の入力の受付を禁止し、処理Ｓ６２に移って不具合部を表示する。なお実施例ではコピーモードが選択されたときのみモード選択キー以外の入力の受付の禁止状態を解消して不具合部を使用しない動作を可能にする（処理Ｓ１９〜Ｓ２７）ようにしていたが、これをＦＡＸモード，プリンタモードおよびスキャンモードにも適用することができる。
【００４７】
【発明の効果】
以上説明したように、本発明によれば次の効果が得られる。
選択したアプリケーションモードに対応する使用部に不具合が発生しているか否かを判定し、不具合が発生していると判定されたときは、モード選択手段以外の入力受付を禁止すると共に不具合部を表示させるようにしたので、どの部に不具合が発生しているかを知ることもでき、また不具合が発生している部を使用しないアプリケーションモードを起動させることができる。
【００４８】
また、モード選択手段以外の入力受付を禁止させた状態を解消できるようにしたので、不具合が発生した部を使用しない場合の動作を可能にすることができる。
また、モード選択手段以外の入力受付を禁止させる状態を解消してから一定時間放置された場合は解消を取消すようにしたので、その後の使用者に不具合が発生していることを知らせることができる。
【図面の簡単な説明】
【図１】本発明の実施例の構成図である。
【図２】同実施例の使用部記録メモリの具体例である。
【図３】同実施例の入力表示部の具体例である。
【図４】同実施例の入力表示部の表示画面の具体例である。
【図５】同実施例の動作フローチャートである。
【図６】同実施例の動作フローチャートである。
【図７】同実施例の動作フローチャートである。
【図８】同実施例の不具合発生時の動作フローチャートである。
【符号の説明】
１          複写機本体
１−１ｂ    スキャナ制御部
１−２ｂ    原稿送り制御部
１−３ｂ    プロッタ制御部
１−４ｂ    給紙制御部
１−５ｂ    ソータ制御部
２          入力表示部
３          使用部記録メモリ
４          入力制御部
５          画像メモリ
６          コピー制御部
７          ＦＡＸ制御部
８          プリンタ制御部
９          スキャナアプリ制御部
１０        回線接続部
１１        変復調部
１２，１３  インタフェース（Ｉ／Ｏ）
１４        プロセッサ（ＣＰＵ）
【図１】
0003692130.tif 000002
【図２】
0003692130.tif 000003
【図３】
0003692130.tif 000004
【図４】
0003692130.tif 000005
【図５】
0003692130.tif 000006
【図６】
0003692130.tif 000007
【図７】
0003692130.tif 000008
【図８】
0003692130.tif 000009